(57)【特許請求の範囲】
【請求項１】
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、上向きに開口しており、
前記止水部が、前記顎部の上面に取り付けられており、前記流出口を所定の間隔をあけて上方から覆う、
ことを特徴とする水槽。
【請求項２】
前記止水部が、止水底と、当該止水底の側面の一部を除いて当該側面から立設する止水壁とを備えることを特徴とする請求項１に記載の水槽。
【請求項３】
前記止水底の表面が、水槽の内側に向かって下向きに傾斜していることを特徴とする請求項２に記載の水槽。
【請求項４】
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、上向きに開口しており、
前記止水部が、前記顎部と一体的に形成されており、水槽の内側に向かって突き出し、前記流出口を所定の間隔をあけて上方から覆い、
前記顎部と前記止水部の上面が、水槽の内側に向かって下向きに傾斜している、
ことを特徴とする水槽。
【請求項５】
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、前記側壁において横向きに開口しており、
前記止水部が、上端が前記流出口の上端と一体化しており、前記流出口の上端から下方に向けて傾斜して延びる、
ことを特徴とする水槽。
【請求項６】
前記顎部が、水槽の内側に向かって下向きに傾斜していることを特徴とする請求項５に記載の水槽。
【請求項７】
前記顎部が、前記側壁の上端に対して直角に突出しており、当該顎部の外周に水止壁が立設することを特徴とする請求項５に記載の水槽。
【請求項８】
請求項１ないし７のいずれか１項に記載の複数の水槽と、
多段に積み重ねられた前記水槽を支持するラックと、
前記ラック内の最上段の水槽に注水する給水パイプと、
を備えることを特徴とする製氷ユニット。
【発明の詳細な説明】
【技術分野】
【０００１】
本発明は、寒冷時に、冷却された外気を用いて氷を製造するための水槽および製氷ユニットに関する。
【背景技術】
【０００２】
特許文献１は、生鮮野菜や米・麦・そば等の穀物の長期貯蔵及び冷蔵、魚、肉等の生鮮食品の冷蔵及び熟成を行なう貯蔵設備における貯氷用の水槽を開示する。この貯蔵設備は、寒冷時には氷点下の外気によって水槽の水を凍結させ、気温が上がる時期には水槽の氷を利用して貯蔵庫内の温度を低温に保つ。
【０００３】
この貯蔵設備では、水槽は、ラックを用いて、ある程度の間隔を設けて多段に積み上げられている。その間隔を利用して外気が全ての水槽に送られる。また、この水槽の上縁部には全周に渡ってラックに引っ掛けるための顎部が形成されており、側壁の上部近傍にはオーバフロー口（水の流出口）が設けられている。水槽内に水が注がれて水面がオーバフロー口に達すると、水がオーバフロー口から外に流れ出し、直下の水槽内に流れ込む。このため、最上段の水槽にのみ注水することによって、２段目以降の水槽に順次水が流入し、多段状に積み上げられた全ての水槽に水を満たすことができる。
【先行技術文献】
【特許文献】
【０００４】
【特許文献１】特開２００２−７１２５１号公報
【発明の概要】
【発明が解決しようとする課題】
【０００５】
しかし、特許文献１に記載の水槽では、オーバフロー口は水槽の内側に上向きに開く。このため、上段の水槽から流れ込んだ水の一部は、水槽内に溜まることなく、オーバフロー口から直接流れ出すおそれがある。
この欠点を解消するために、特許文献１に記載の製氷ユニットでは、オーバフロー口の位置の異なる２種類の水槽が交互に積み重ねられる。この配置によれば、奇数段の水槽と偶数段の水槽でオーバフロー口の位置がずれるため、上段の水槽から下段の水槽に流れ落ちる水は、下段の水槽のオーバーフロー口を避けて下段の水槽内に流入する。
【０００６】
本発明の目的は、１種類の水槽のみを多段に積み重ねることにより、上段の水槽から下段の水槽に流れ落ちる水を下段の水槽内部に流入させることができる水槽および製氷ユニットを提供することである。
【課題を解決するための手段】
【０００７】
上記目的を達成するために、本発明の水槽は、
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、上向きに開口しており、
前記止水部が、前記顎部の上面に取り付けられており、前記流出口を所定の間隔をあけて上方から覆う、
ことを特徴とする。
【０００９】
好ましくは、本発明の水槽は、
前記止水部が、止水底と、当該止水底の側面の一部を除いて当該側面から立設する止水壁とを備えることを特徴とする。
【００１０】
好ましくは、本発明の水槽は、
前記止水底の表面が、水槽の内側に向かって下向きに傾斜していることを特徴とする水槽。
【００１１】
また、本発明の水槽は、
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、上向きに開口しており、
前記止水部が、前記顎部と一体的に形成されており、水槽の内側に向かって突き出し、前記流出口を所定の間隔をあけて上方から覆い、
前記顎部と前記止水部の上面が、水槽の内側に向かって下向きに傾斜している、
ことを特徴とする。
【００１２】
また、本発明の水槽は、
多段に積み重ねて使用される水槽であって、
側壁と、
前記側壁に設けられており、水が流出する流出口と、
上段の水槽から落下した水が直接前記流出口に流れ込むことを防ぐ止水部と、
前記側壁の上端から水槽の外側に向かって突出する顎部と、
を備え、
前記流出口が、前記側壁において横向きに開口しており、
前記止水部が、上端が前記流出口の上端と一体化しており、前記流出口の上端から下方に向けて傾斜して延びる、
ことを特徴とする。
【００１３】
好ましくは、本発明の水槽は、
前記顎部が、水槽の内側に向かって下向きに傾斜していることを特徴とする水槽。
【００１４】
好ましくは、本発明の水槽は、
前記顎部が、前記側壁の上端に対して直角に突出しており、当該顎部の外周に水止壁が立設することを特徴とする水槽。
【００１５】
また、本発明の製氷ユニットは、
上述した複数の水槽と、
多段に積み重ねられた前記水槽を支持するラックと、
前記ラック内の最上段の水槽に注水する給水パイプと、
を備えることを特徴とする。
【発明の効果】
【００１６】
本発明によれば、１種類の水槽のみを多段に積み重ねることにより、上段の水槽から下段の水槽に流れ落ちる水を下段の水槽内部に流入させることができる。
【図面の簡単な説明】
【００１７】
【図１】本発明の第１の実施形態に係る水槽の一例を示す図である。
【図２】図１の水槽の要部拡大横断面図である。
【図３】図１の水槽が多段に積み重ねられたラックの一例を示す図である。
【図４】本発明の第１の実施形態に係る水槽の第１の変形例の要部拡大横断面図である。
【図５】本発明の第１の実施形態に係る水槽の第２の変形例の要部拡大横断面図である。
【図６】図５の水槽における止水部の一例を示す図である。
【図７】本発明の第１の実施形態に係る水槽の第３の変形例の要部拡大横断面図である。
【図８】本発明の第１の実施形態に係る水槽の第４の変形例の要部拡大横断面図である。
【図９】本発明の第２の実施形態に係る水槽の一例を示す図である。
【図１０】図９の水槽の要部拡大横断面図である。
【図１１】本発明の第２の実施形態に係る水槽の変形例の要部拡大横断面図である。
【図１２】複数の水槽が取り付けられた複数のラックにより構成される製氷ユニットの一例を示す正面図である。
【図１３】図１２の製氷ユニットの上面図である。
【発明を実施するための形態】
【００１８】
以下、本発明の実施形態に係る水槽および製氷ユニットについて図面を参照しながら詳細に説明する。なお、実施形態を説明する全図において、共通の構成要素には同一の符号を付し、繰り返しの説明を省略する。
【００１９】
図１は、本発明の第１の実施形態に係る水槽１Ａの一例を示す。図２は、図１の水槽１Ａの要部拡大横断面図である。
水槽１Ａは、底部１０と、側壁１１Ａと、顎部１２Ａと、流出口１３と、流水通路１４Ａと、止水部１５Ａとを有する。図３に示すように、水槽１Ａは、ラック２０を用いて多段に積み重ねて使用される。
顎部１２Ａは、側壁１１Ａと一体的に形成される。顎部１２Ａは、側壁１１Ａの全周に渡ってその上端から水槽１Ａの外側に向かって突出する。ラック２０の支柱には、所定の位置に支持部２１が設けられている。水槽１Ａがラック２０に取り付けられた状態において、顎部１２Ａはラック２０の支持部２１によって保持される。
流水通路１４Ａは、水槽１Ａの内側に向かって側壁１１Ａから突出する凹部である。流水通路１４Ａは、下端が側壁１１Ａと一体化しており、側壁１１Ａから上方に向けて傾斜して延びる傾斜面を有する。
流出口１３は、流水通路１４Ａの上端に上向きに開口する。
止水部１５Ａは、顎部１２Ａの上面に取り付けられており、流出口１３を所定の間隔をあけて上方から覆う。止水部１５Ａは、上段の水槽１Ａから落下した水が直接流出口１３に流れ込むことを防ぐ。なお、止水部１５Ａは、顎部１２Ａに着脱可能な構成としてもよい。これにより、例えば、水槽１Ａをラック２０から取り外して保管するときに止水部１５Ａを水槽１Ａから取り外すことができる。
【００２０】
図２と図３に示すように、ラック２０内に多段に積み重ねられた水槽１Ａの間には、外気が行きわたるように空間が設けられている。
ラック２０内の水槽１Ａに水を満たすときには、図３に示すように、最上段に取り付けられた水槽１Ａに水を注入する。図２に示すように、個々の水槽１Ａが水で満たされて水面３０が流出口１３に達すると、流出口１３から水が流れ出す。流れ出した水は、流水通路１４Ａを通り、側壁１１Ａを伝わって直下の水槽１Ａの止水部１５Ａに落ちる。止水部１５Ａに落下した水は、流出口１３を避けて水槽１Ａの内部に流れ込む。このように、最上段の水槽１Ａに水を注入することにより、ラック２０内の全ての水槽１Ａに水を注入することができる。
なお、流出口１３をできる限り側壁１１Ａの上方に配置することにより、水槽１Ａに蓄えられる水の容量を大きくすることができる。
【００２１】
図４は、本発明の第１の実施形態に係る水槽１Ａの第１の変形例１Ｂの要部拡大横断面図である。
水槽１Ｂは、水槽１Ａと流水通路の構成が異なる。水槽１Ｂの流水通路１４Ｂは、水槽１Ａの流水通路１４Ａと同様に、水槽１Ｂの内側に向かって側壁１１Ｂから突出する凹部である。ただし、水槽１Ａの流水通路１４Ａが側壁１１Ａから上方に向けて傾斜して延びる傾斜面を有するのに対し、水槽１Ｂの流水通路１４Ｂは流出口１３から水槽１Ｂの底部１０まで垂直に延びる垂直面を有する点が異なる。上段の水槽１Ｂの流出口１３から流れ出した水は、流水通路１４Ｂを通って直下の水槽１Ｂの止水部１５Ａに落ちる。
【００２２】
図５は、本発明の第１の実施形態に係る水槽１Ａの第２の変形例１Ｃの要部拡大横断面図である。
水槽１Ｃは、水槽１Ａと止水部の構成が異なる。水槽１Ｃの止水部１５Ｂは、図６に示すように、止水底１６Ａと、止水壁１７とを有する。止水壁１７は、止水底１６Ａの３辺から立設する。止水底１６Ａの１辺には止水壁１７が無い。すなわち、止水壁１７は、止水底１６Ａの側面の一部（水槽１Ｃの内側に面する部分）を除き、側面から立設する。
上段の水槽１Ｃの流出口１３から流れ出した水は、止水部１５Ｂの止水底１６Ａに落ちる。止水底１６Ａに落ちた水は、止水壁１７の無い部分から水槽１Ａの内部に流れ込む。このため、止水部１５Ｂは、水槽１Ｃの外に水が流れ落ちることを防ぐことができる。
【００２３】
図７は、本発明の第１の実施形態に係る水槽１Ａの第３の変形例１Ｄの要部拡大横断面図である。
水槽１Ｄは、水槽１Ｃと止水部の構成が異なる。水槽１Ｄの止水部１５Ｃは、表面が水槽１Ｄの内側に向かって下向きに傾斜している止水底１６Ｂを有する。このため、止水部１５Ｃは、止水底１６Ａの表面が水平である止水部１５Ｂよりも確実に水槽１Ｄの内部に向けて水を誘導することができる。
【００２４】
図８は、本発明の第１の実施形態に係る水槽１Ａの第３の変形例１Ｅの要部拡大横断面図である。
水槽１Ｅは、止水部１５Ｄが顎部１２Ｂと一体的に形成されている点が水槽１Ａと異なる。
止水部１５Ｄは、顎部１２Ｂと一体的に形成されており、水槽１Ｅの内側に向かって突き出す。止水部１５Ｄは、流出口１３を所定の間隔をあけて上方から覆う。止水部１５Ｄは、上段の水槽１Ｅから落下した水が直接流出口１３に流れ込むことを防ぐ。
顎部１２Ｂと止水部１５Ｄの上面は、水槽１Ｅの内側に向かって下向きに傾斜している。これにより、顎部１２Ｂと止水部１５Ｄに落下した水は、水槽１Ｅの内部に向けて誘導される。
【００２５】
図９は、本発明の第２の実施形態に係る水槽１Ｆの一例を示す。図１０は、図９の水槽１Ｆの要部拡大横断面図である。
水槽１Ｆは、底部１０と、側壁１１Ｃと、顎部１２Ｃと、流出口１８と、止水部１９とを有する。水槽１Ｆも、水槽１Ａと同様に、ラック２０を用いて多段に積み重ねて使用される。
顎部１２Ｃは、側壁１１Ｃと一体的に形成される。顎部１２Ｃは、側壁１１Ｃの全周に渡ってその上端から水槽１Ｆの外側に向かって突出する。顎部１２Ｃは、水槽１Ｆの内側に向かって下向きに傾斜している。これにより、顎部１２Ｃに落下した水は、水槽１Ｆの内部に向けて誘導される。水槽１Ｆがラック２０に取り付けられた状態において、顎部１２Ｃはラック２０の支持部２１によって保持される。
流出口１８は、側壁１１Ｃにおいて横向きに開口する。なお、流出口１８をできる限り側壁１１Ｃの上方に配置することにより、水槽１Ｆに蓄えられる水の容量を大きくすることができる。
止水部１９は、その上端が流出口１８の上端と一体化しており、流出口１８の上端から下方に向けて傾斜して延びる。止水部１９は、上段の水槽１Ｆから落下した水が直接流出口１８に流れ込むことを防ぐ。
なお、流出口１８と止水部１９は、例えば、側壁１１Ｃに所定の間隔で縦方向に２つの切込みを入れてその間の部分を上方に折り曲げることにより形成することができる。
【００２６】
図１０に示すように、上段の水槽１Ｆから落下した水によって水槽１Ｆが水面３１まで満たされると、その水槽１Ｆの流出口１８から水が流れ出す。流れ出した水は、側壁１１Ｃを伝わって直下の水槽１Ｆの顎部１２Ｃに落ちる。顎部１２Ｃに落ちた水は、流出口１８を避けて水槽１Ｆの内部に流れ込む。
【００２７】
図１１は、本発明の第２の実施形態に係る水槽１Ｆの変形例１Ｇの要部拡大横断面図である。
水槽１Ｇは、水槽１Ｆと顎部の構成が異なる。水槽１Ｇの顎部１２Ｄは、側壁１１Ｃの上端に対して直角（水平）に突出しており、その外周に水止壁が立設する。顎部１２Ｄの水止壁は、上段の水槽１Ｇから落下した水が水槽１Ｇの外に流れ落ちることを防ぐ。
【００２８】
図１２は、複数の水槽１Ｆが取り付けられた複数のラック２０により構成される製氷ユニット４０の一例を示す正面図である。図１３は、図１２の製氷ユニット４０の上面図である。
製氷ユニット４０は、横方向に４個、縦方向に４個、計１６個のラック２０で構成される。各ラック２０には、１１個の水槽１Ｆが多段に積み重ねられている。ラック２０の上には４本の給水パイプ４１が横方向に延びる。給水パイプ４１には、各ラック２０の最上段の水槽１Ｆに注水できる位置にノズル４２が配置されている。各給水パイプ４１は縦方向に延びる１本の給水パイプ４３につながる。給水パイプ４３には、バルブ４４が設置されている。バルブ４４をあけると、ノズル４２から水が各ラック２０内の最上段の水槽１Ｆに注水される。
【００２９】
製氷ユニット４０は、固定された貯蔵庫またはコンテナのような移動式の貯蔵庫内に設置される。寒冷時に、貯蔵庫の扉を開けて冷却された外気を貯蔵庫内に入れ、水槽内の水を凍結させる。そして、扉を閉めて氷を保存する。気温が上がる時期に貯蔵庫内の低温の空気により、例えば、生鮮野菜や米・麦・そば等の穀物の長期貯蔵及び冷蔵、魚、肉等の生鮮食品の冷蔵及び熟成を行うことができる。
【００３０】
なお、上述した実施形態では、対向する側壁に流出口が２個づつ配設された構成を示したが、流出口の配設位置および配設数はこれに限らない。
また、上述した実施形態では、製氷ユニット４０内のラック２０に水槽１Ｆを取り付ける例を示したが、ラック２０に水槽１Ａ〜１Ｅ，１Ｆを取り付けることができることはもちろんである。
【００３１】
以上説明したように、本発明によれば、１種類の水槽のみを多段に積み重ねることにより、上段の水槽から下段の水槽に流れ落ちる水を下段の水槽内部に流入させることができる。
【００３２】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００３３】
１Ａ，１Ｂ，１Ｃ，１Ｄ，１Ｅ，１Ｆ，１Ｇ…水槽、１１Ａ，１１Ｂ、１１Ｃ…側壁、１２Ａ，１２Ｂ，１２Ｃ，１２Ｄ…顎部、１３…流出口、１４Ａ，１４Ｂ…水槽側壁の流水通路、１５Ａ，１５Ｂ、１５Ｃ…止水部、１６Ａ，１６Ｂ…止水底、１７…止水壁、１８…流出口、１９…止水部、２０…ラック、２１…ラックの支持部、３０、３１…水面、４０…製氷ユニット、４１…給水パイプ、４２…ノズル、４３…給水パイプ、４４…バルブ
【図１】
0006441855.tif 000002
【図２】
0006441855.tif 000003
【図３】
0006441855.tif 000004
【図４】
0006441855.tif 000005
【図５】
0006441855.tif 000006
【図６】
0006441855.tif 000007
【図７】
0006441855.tif 000008
【図８】
0006441855.tif 000009
【図９】
0006441855.tif 000010
【図１０】
0006441855.tif 000011
【図１１】
0006441855.tif 000012
【図１２】
0006441855.tif 000013
【図１３】
0006441855.tif 000014